(57)【要約】【課題】分岐口と栓部材の細かな位置調節を可能とし、栓部材の過挿入により生じる栓部材と分岐口との当接部の変形や消耗を防止するようにした分岐口密栓装置及びその方法を提供すること。【解決手段】栓部材挿入機は、スピンドル７を分岐口４方向へ送る送り出し手段５，６と、送り出し手段５，６により送られたスピンドル７を分岐口４方向へ増し送りする増し送り手段１７，１８とを備え、増し送り手段１７，１８により栓部材８が分岐口４に押し付けられ、分岐口４が密栓される。【選択図】図５
2013068229.tif 000002
【特許請求の範囲】
【請求項１】
流体管における分岐口を不断流状態で密栓するために用いられる分岐口密栓装置であって、
前記分岐口を密栓する栓部材を先端に着脱可能に有するスピンドルと、該スピンドルを前記分岐口へ送る栓部材挿入機とから構成されており、
前記栓部材挿入機は、前記スピンドルを分岐口方向へ送る送り出し手段と、該送り出し手段により送られた前記スピンドルを分岐口方向へ増し送りする増し送り手段とを備え、前記増し送り手段により前記栓部材が前記分岐口に押し付けられ、前記分岐口が密栓されることを特徴とする分岐口密栓装置。
【請求項２】
前記送り出し手段は、流体圧により前記スピンドルを前記分岐口方向へ送るようになっていることを特徴とする請求項１に記載の分岐口密栓装置。
【請求項３】
前記増し送り手段は、前記スピンドルに固定可能なセットカラーと、該セットカラーに螺着されたネジ部材とにより構成されており、前記ネジ部材の締め込みにより前記スピンドルが前記分岐口方向に増し送りされることを特徴とする請求項１または２に記載の分岐口密栓装置。
【請求項４】
前記分岐口に増し送りされた前記栓部材を該分岐口に固定する固定手段が設けられていることを特徴とする請求項１ないし３のいずれかに記載の分岐口密栓装置。
【請求項５】
前記栓部材挿入機は密栓確認用バルブを有しており、該密栓確認用バルブの開弁により前記分岐口が前記栓部材により密栓されたことを確認できるようになっていることを特徴とする請求項１ないし４のいずれかに記載の分岐口密栓装置。
【請求項６】
流体管における分岐口を不断流状態で密栓するために用いられる分岐口密栓方法であって、
前記分岐口を密栓する栓部材を先端に着脱可能に有するスピンドルを、栓部材挿入機が備える送り出し手段により分岐口方向へ送った後に、前記栓部材挿入機が備える増し送り手段により分岐口方向へ増し送りすることで、前記栓部材が前記分岐口に押し付けられ、前記分岐口が密栓されることを特徴とする分岐口密栓方法。
【発明の詳細な説明】
【技術分野】
【０００１】
本発明は、流体管における分岐口を密栓するために用いられる分岐口密栓装置及びその方法に関する。
【背景技術】
【０００２】
従来、例えば流体管における分岐口に接続された仕切弁体を撤去する際、栓部材を有する分岐口密栓装置を仕切弁体に取り付け、栓部材を仕切弁体内を通して分岐口に押し付け密栓するものがある。（例えば、特許文献１参照）。
【先行技術文献】
【特許文献】
【０００３】
【特許文献１】特開２００９−１６８１６３号公報（第４頁、第８図）
【発明の概要】
【発明が解決しようとする課題】
【０００４】
しかしながら、特許文献１に記載の分岐口密栓装置にあっては、分岐口方向への栓部材の押し込みをジャッキのみを用いて行う態様であるため、分岐口に栓部材を密栓する際に生じる細かな位置調整が難しい。そのため栓部材の過挿入を引き起こし、栓部材が分岐口に対し押圧されることによる栓部材と分岐口との当接部の変形や消耗を生じさせる場合があった。
【０００５】
本発明はこのような問題点に着目してなされたもので、分岐口と栓部材の細かな位置調節を可能とし、栓部材の過挿入により生じる栓部材と分岐口との当接部の変形や消耗を防止するようにした分岐口密栓装置及びその方法を提供することを目的とする。
【課題を解決するための手段】
【０００６】
流体管における分岐口を不断流状態で密栓するために用いられる分岐口密栓装置であって、
前記分岐口を密栓する栓部材を先端に着脱可能に有するスピンドルと、該スピンドルを前記分岐口へ送る栓部材挿入機とから構成されており、
前記栓部材挿入機は、前記スピンドルを分岐口方向へ送る送り出し手段と、該送り出し手段により送られた前記スピンドルを分岐口方向へ増し送りする増し送り手段とを備え、前記増し送り手段により前記栓部材が前記分岐口に押し付けられ、前記分岐口が密栓されることを特徴としている。
この特徴によれば、栓部材挿入機がスピンドルを分岐口方向へ送り出す送り出し手段と、この送り出し手段により送られたスピンドルを分岐口方向へ増し送りする増し送り手段とを備えているため、栓部材と分岐口の細かな位置調整が可能となり、栓部材の過挿入により生じる栓部材と分岐口との当接部の消耗を防止することができる。
【０００７】
本発明の分岐口密栓装置は、
前記送り出し手段は、流体圧により前記スピンドルを前記分岐口方向へ送るようになっていることを特徴としている。
この特徴によれば、送り出し手段に用いられる流体圧の圧力調整が可能なため、栓部材及びスピンドルが分岐口方向に急激な勢いで送られることを防止でき、栓部材と分岐口との当接部の消耗を防止することができる。
【０００８】
本発明の分岐口密栓装置は、
前記増し送り手段は、前記スピンドルに固定可能なセットカラーと、該セットカラーに螺着されたネジ部材とにより構成されており、前記ネジ部材の締め込みにより前記スピンドルが前記分岐口方向に増し送りされることを特徴としている。
この特徴によれば、スピンドルに固定可能なセットカラーに螺着されたネジ部材の締め込みにより、スピンドルを分岐口が密栓される方向に漸次送ることができ、簡素な構造で栓部材と分岐口の細かな位置調整が可能となる。
【０００９】
本発明の分岐口密栓装置は、
前記分岐口に増し送りされた前記栓部材を該分岐口に固定する固定手段が設けられていることを特徴としている。
この特徴によれば、栓部材が分岐口に増し送りされた後に固定手段により流体管と固定されるため、栓部材が分岐口に対し高い密閉性で固定されるとともに、密栓状態を維持することができる。
【００１０】
本発明の分岐口密栓装置は、
前記栓部材挿入機は密栓確認用バルブを有しており、該密栓確認用バルブの開弁により前記分岐口が前記栓部材により密栓されたことを確認できるようになっていることを特徴としている。
この特徴によれば、密栓確認用バルブを開弁して密栓確認用バルブの開口部より流体が漏れ出さないことを確認でき、栓部材により分岐口が密栓されたことを確認できるようになっている。
【００１１】
前記課題を解決するために、本発明の分岐口密栓方法は、
流体管における分岐口を不断流状態で密栓するために用いられる分岐口密栓方法であって、
前記分岐口を密栓する栓部材を先端に着脱可能に有するスピンドルを、栓部材挿入機が備える送り出し手段により分岐口方向へ送った後に、前記栓部材挿入機が備える増し送り手段により分岐口方向へ増し送りすることで、前記栓部材が前記分岐口に押し付けられ、前記分岐口が密栓されることを特徴としている。
この特徴によれば、送り出し手段によりスピンドルを分岐口方向へ送り出した後に、増し送り手段により分岐口方向へ増し送りするため、栓部材と分岐口の細かな位置調整が可能となり、栓部材の過挿入により生じる栓部材と分岐口との当接部の消耗を防止することができる。
【図面の簡単な説明】
【００１２】
【図１】実施例における分岐口密栓装置を示す側断面図である。
【図２】分岐口密栓装置を示す正面図である。
【図３】分岐口密栓装置を仕切弁装置に接続した状態を示す側断面図である。
【図４】スピンドルを送り出した状態を示す側断面図である。
【図５】セットカラーによりスピンドルを増し送りした状態を示す側断面図である。
【図６】固定ボルトにより栓部材を固定した状態を示す側断面図である。
【図７】栓部材よりスピンドルを離脱している状況を示す側断面図である。
【図８】蓋部材を取付けた流体管を示す側断面図である。
【図９】図８と同じく平面図である。
【図１０】図８と同じく正面図である。
【発明を実施するための形態】
【００１３】
本発明に係る分岐口密栓装置及びその方法を実施するための形態を実施例に基づいて以下に説明する。
【実施例】
【００１４】
実施例に係る分岐口密栓装置及びその方法につき、図１から図１０を参照して説明する。以下、図１の紙面右方側を前方側として説明する。
【００１５】
図１及び図２に示されるように、分岐口密栓装置３は、後述するように分岐口４を密栓する栓部材８を先端に着脱可能に螺着したスピンドル７と、このスピンドル７を分岐口４方向へ送る栓部材挿入機とにより主に構成されている。この栓部材挿入機は、枠体５と、スピンドル７を前後に移動可能に遊嵌する外筒管６と、この外筒管６に接続されスピンドル７を分岐口４方向に送る流体圧ポンプ（図示せず）より流体を外筒管６内に送り込む開閉バルブ９と、密栓確認用バルブ１０を備えるフランジ３１、またここでは図示しない後述するセットカラー１７（図５参照）により主に構成されており、フランジ３１により仕切弁装置２（図３参照）と接続可能になっている。
【００１６】
栓部材挿入機について詳述すると、枠体５は、フランジ３１の略中央に貫通した貫通孔３１ａに嵌合しボルト１２により螺着された嵌合部材５ａと、外筒管６が螺合する螺合部材５ｂとが、所定間隔離間して架設ネジ５ｃを介して連結されており、このように連結した両部材５ａ、５ｂに同軸に貫通した貫通孔５ｄ、５ｅに、スピンドル７が密封可能に挿通されている。
【００１７】
すなわち、前述した流体圧ポンプ、外筒管６及び枠体５によって、本発明における送り出し手段が主に構成されている。また、後述するセットカラー１７及び六角穴付ネジ１８（図５参照）によって、本発明における増し送り手段が主に構成されている。また、前述した流体圧ポンプにはホース１５が接続されるようになっており、このホース１５に開閉バルブ９を介し接続された外筒管６内に水圧等の流体圧を加えることにより生じる流体圧によりスピンドル７を分岐口４方向へ送り出す事ができるようになっている。なお、前述した流体圧ポンプに加えられる流体圧は水圧に限らず、油圧や空気圧などであってもよい。
【００１８】
図３に示されるように、流体管１における分岐口４に接続された仕切弁装置２を不断流状態で撤去する場合を例として以下に説明する。なお、本実施例の流体管１は、本発明における地中に埋設され略水平方向に延設された、ダクタイル鋳鉄、その他鋳鉄、鋼、塩化ビニール、ポリエチレン若しくはポリオレフィン製等の流体管であり、内部に流体としての上水が流れる管路を構成している。本実施例では流体管内の流体は上水であるが、流体管１の内部を流れる流体は必ずしも上水に限らず、例えば工業用水であってもよいし、また気体や気液混合状態の流体が流れる流体管であっても構わない。
【００１９】
この流体管１に設けられた分岐口フランジ４１には、前述したように軸方向両端部に開口部を有する既設の仕切弁装置２の一方の開口フランジ２１ａが密封可能に取り付けられている。また、仕切弁装置２の他方の開口フランジ２１ｂには、この仕切弁装置２を流体管１より撤去する装置である分岐口密栓装置３のフランジ３１が密封可能に取り付けられている。さらに分岐口フランジ４１縁部の上下それぞれには、後述する本発明の固定手段である固定ボルト１３、１３がそれぞれ上下方向に貫通して螺合している。尚、固定ボルトは、例えば左右方向に貫通して螺合してもよいし、３つ以上設けられていてもよい。
【００２０】
続いて本発明の分岐口密栓方法の手順を図３から図１０を用いて説明する。
【００２１】
まず図３に示されるように、仕切弁装置２のフランジ２１ｂに対し分岐口密栓装置３のフランジ３１を密封可能に取り付ける。次に図４に示されるように、仕切弁装置２の操作部２２ａの回転操作により弁体２２を開弁し、仕切弁装置２内におけるスピンドル７及び栓部材８の移動経路を確保する。続いて前述した流体圧ポンプにより加圧された流体をホース１５及び操作部９ａを開状態とした開閉バルブ９を介し外筒管６内に送り込むことで、当該流体の流体圧によりスピンドル７を押圧し、スピンドル７の先端に螺着した栓部材８を分岐口４へ向けて漸次近づける。このとき、仕切弁装置２の弁体２２が開かれたことで、分岐口４より流体管１内を通る管内流体が仕切弁装置２内に流れ込み、分岐口４に向けて進出する栓部材８に対し圧力がかかることになるが、この圧力よりも高い流体圧を流体圧ポンプ９より送ることで、スピンドル７及び栓部材８を分岐口４方向に送ることができる。
【００２２】
また、本発明における送り出し手段を構成する前述した流体圧ポンプは圧力調整可能であるので、スピンドル７の送り出しの際の移動速度調整が可能である。そのため、栓部材８及びスピンドル７が分岐口４方向に急激な勢いで送られることを防止でき、栓部材８と分岐口４との当接部における消耗を防止することができる。
【００２３】
また、図３及び図４に示すようにスピンドル７の外周面の所定箇所には、仕切弁装置２内部においてスピンドル７の先端に螺着した栓部材８が分岐口４の近傍まで送り出されたことを確認できる第１目印５０と、栓部材８が分岐口４に密着したスピンドル７の移動限界を確認できる第２目印５１が、それぞれスピンドル７の長手方向に離間して設けられている。
【００２４】
尚、第１目印５０と第２目印５１は、それぞれスピンドル７の周方向に１本ずつラインを引くことで表示でき、本実施例では、栓部材８の前述した所定位置において、各目印が枠体５の嵌合部材５ａ及び螺合部材５ｂの対向面間に露出するように表示されるが、本発明の上述した第１目印５０及び第２目印５１はこの限りではなく、たとえばスピンドル７の外周面の長手方向に所定の長さで帯状に色分けされて表示されるものや、ラインや色分け表示の代わりにスピンドル７の外周面に形成した窪み等によって視認できるようになっていてもよい。
【００２５】
このように第１目印５０の確認により、栓部材８が分岐口４の近傍付近にあることが仕切弁装置２外方から判断された状態で、図５に示されるように、開閉バルブ９の操作部９ａを閉状態として流体を閉止し、スピンドル７の外周に対しセットカラー１７を固定する。このセットカラー１７は、上下に分割可能な半割部材で構成されており、これら半割部材にはそれぞれ厚み方向に貫通するネジ孔が設けられており、それぞれのネジ孔には六角穴付ネジ１８が半割部材の厚み方向に螺着されている。
【００２６】
このとき、第２目印５１が所定箇所に表示される手前で、スピンドル７における枠体５の螺合部材５ｂの内側面５５近傍箇所にセットカラー１７が固定される。これにより、後述する増し送り手段の送りしろを残すことが可能なため、送り出し手段と増し送り手段の分岐口４方向への移動領域を個別に設定することができる。したがって、所定距離で送り出し手段の停止を行えるため、スピンドル７の過挿入を防ぐことができる。
【００２７】
セットカラー１７をスピンドル７に対し固定するため、セットカラー１７が枠体５の螺合部材５ｂの内側面５５に面当りすることで、分岐口４より加わる流体圧によってスピンドル７が押し戻しされるのを防止することができる。こうして送り出し手段の完了となる。尚、セットカラー１７は、上述した送り出し手段による送り出しの前に、予めスピンドル７に対し移動可能に遊嵌しておき、送り出し手段による送り出しの後に、スピンドル７に対し固定するようにしてもよい。
【００２８】
次に図５に示されるように、セットカラー１７に螺設された六角穴付ネジ１８を枠体５の螺合部材５ｂの内側面５５方向に螺進させることで、六角穴付ネジ１８先端部が螺合部材５ｂの内側面５５を押圧する。この押圧に対し生じる反力によりセットカラー１７と、セットカラー１７が固定されているスピンドル７が分岐口４方向へ漸次送られ、分岐口４に栓部材８が増し送りされる。このとき前述の通り、本発明の増し送り手段であるセットカラー１７は、六角穴付ネジ１８の締め込み量を適宜調整できるため、六角穴付ネジ１８の締め込みにより栓部材８と分岐口４のきめ細かな位置調節が可能となっている。なお、本発明における増し送り手段は栓部材８を分岐口４方向へ増し送りするものであれば、上述した態様に限らず、例えばセットカラー１７が嵌合部材５ａの内側面に引き寄せられるような態様であってもよい。
【００２９】
セットカラー１７により分岐口４に栓部材８が増し送りされ、上述した第２目印５１により栓部材８が分岐口４に密着したことを確認した後、図６に示されるように、前述した分岐口フランジ４１縁部の上下それぞれに設けられた固定ボルト１３、１３を栓部材８方向に螺進することで、固定ボルト１３、１３が栓部材８後面を押圧し、栓部材８の前面に設けたシール部８ａが分岐口４に対し高い密閉性で押し付けることができるとともに、固定ボルト１３、１３によりこの密栓状態を維持することができる。
【００３０】
固定ボルトにより分岐口４に対し栓部材８を固定した後、密栓確認用バルブ１０の操作部１０ａを開状態として、密栓確認用バルブ１０開口部より水が溢れ出さないことを確認することで、分岐口４が栓部材８により確実に密封されたことを判断できるようになっている。
【００３１】
前述の密栓確認用バルブ１０の開弁により分岐口４が確実に密封されたことが判断された後、図７に示されるように、スピンドル７よりセットカラー１７を離脱するとともに外筒管６を螺合部材５ｂから取外し、さらにスピンドル７を栓部材８から取り外す。なお、このときスピンドル７よりセットカラー１７を離脱するまでもなく、セットカラー１７の固定を緩めるようにしてスピンドル７が栓部材８より離脱できるようにしてもよい。
【００３２】
続いてスピンドル７を栓部材４より離脱後、分岐口４より仕切弁装置２が離脱され、図８〜１０に示されるように、分岐口フランジ４１に対し、密封確認用プラグ２７が封止された蓋体２５が蓋体固定ボルト２６により固定されて分岐口４の密栓作業が完了する。
【００３３】
以上説明したように、本発明の分岐口密栓装置によれば、栓部材挿入機がスピンドル７を分岐口４方向へ送り出す送り出し手段としての枠体５及び外筒管６と、この枠体５及び外筒管６により送られたスピンドル７を分岐口４方向へ増し送りする増し送り手段としてのセットカラー１７及び六角穴付ネジ１８を備えているため、栓部材８と分岐口４の細かな位置調整が可能となり、栓部材８の過挿入により生じる栓部材８と分岐口４との当接部の消耗を防止することができる。
【００３４】
また、本発明の分岐口密栓方法によれば、枠体５及び外筒管６によりスピンドル７を分岐口４方向へ送り出した後に、セットカラー１７及び六角穴付ネジ１８により分岐口４方向へ増し送りするため、栓部材８と分岐口４の細かな位置調整が可能となり、栓部材８の過挿入により生じる栓部材８と分岐口４との当接部の消耗を防止することができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００３６】
１                流体管
２                仕切弁装置
３                分岐口密栓装置
４                分岐口
５                枠体（送出し手段）
６                外筒管（送出し手段）
７                スピンドル
８                栓部材
９                開閉バルブ
１０              密栓確認用バルブ
１３              固定ボルト（固定手段）
１５              ホース
１７              セットカラー（増し送り手段）
１８              六角穴付ネジ（増し送り手段）
２２              弁体
【図１】
2013068229.tif 000003
【図２】
2013068229.tif 000004
【図３】
2013068229.tif 000005
【図４】
2013068229.tif 000006
【図５】
2013068229.tif 000007
【図６】
2013068229.tif 000008
【図７】
2013068229.tif 000009
【図８】
2013068229.tif 000010
【図９】
2013068229.tif 000011
【図１０】
2013068229.tif 000012